(57)【要約】  本発明は、圧縮ステーション（２）及びコールドボックス（３）を備えた動作回路を含む冷却器／気化器による、特にヘリウムを含む或いは純粋なヘリウムからなる動作流体の低温冷却／液化のための方法に関する。冷却器／気化器は、圧縮ステーション（２）内での動作流体の圧縮と、コールドボックス（３）内での動作流体の冷却および拡張と、および動作流体が圧縮ステーション（２）へ戻すために動作流体の加熱と、を順に有するサイクルのため、動作ガスを動作回路内に受ける。圧縮ステーション（２）は、それぞれ受け（５）に搭載された１つ或いはそれ以上のコンプレッサー（１２）を使う１つ或いはそれ以上の圧縮レベルを含む。この方法は、動作回路から来る動作流体の漏れを、再循環して動作回路内へ戻す（１３、２１）ため、ゾーン（１３）へガイドするガスシールを形成するように、冷却器が、動作流体から分離されたシールガスをコンプレッサーの少なくとも１つの受け（５）へ注入するための装置（４）を有することを特徴とする。
2013513776.tif 000002
【特許請求の範囲】
【請求項１】
圧縮ステーション（２）およびコールドボックス（３）を備えた動作回路を有する冷却器／気化器を使う、動作流体、特にヘリウムを含む或いは純粋なヘリウムからなる動作流体の低温冷却／液化のための方法であって、
上記冷却器／気化器が、動作ガスを上記動作回路内に受け、上記圧縮ステーション（２）内での上記動作流体の圧縮と、上記コールドボックス（３）内での上記動作流体の冷却および拡張と、および上記動作流体が上記圧縮ステーション（２）へ戻れるように、上記動作流体の再加熱と、を順に有するサイクルへ送り、
上記圧縮ステーション（２）が、それぞれが複数のベアリング（５）に搭載された１つ或いはいくらかのコンプレッサー（１２）を使う１つ或いはいくらかの圧縮ステージを有し、
上記冷却器が、上記動作流体と性質が異なるバリアガスを上記コンプレッサーの少なくとも１つのベアリング或いはコンプレッサー内へ注入するための装置（４）を有し、上記動作回路から生ずる動作流体の漏れを、回収して上記動作回路へ戻す（１３、２１）ため、ゾーン（１３）に向けてガイドするガス状のバリアを形成することを特徴とする、方法。
【請求項２】
上記バリアガスを注入するための上記装置（４）は、上記圧縮ステーション（２）のオイル収容機構、或いは大気に関してシールされない、上記圧縮ステーション（２）の少なくとも１つのいわゆる汚染されたゾーン（１２１）に向けて動作流体の漏れの通過を防止するように、ガス状のバリアを形成することを特徴とする、
請求項１によるところの方法。
【請求項３】
上記バリアガスは、少なくとも１つのベアリング（５）内へ、上記ベアリング（５）に搭載された上記コンプレッサーでの上記動作回路内の上記動作流体の圧力より低い圧力で、注入される、
請求項１および請求項２のいずれか一方によるところの方法。
【請求項４】
上記バリアガスは、窒素を含み、或いは純粋な窒素からなる、
請求項１乃至請求項３のいずれか１つによるところの方法。
【請求項５】
上記バリアガスを注入するための上記装置（４）は、少なくとも１つのバリアガス注入ポイント（１４）と、上記注入されたバリアガスおよび上記漏れ或いは複数の漏れから生ずる上記動作流体を含む混合物を収集するための少なくとも１つの出口（２４）と、を有することを特徴とする、
請求項１乃至請求項４のいずれか１つによるところの方法。
【請求項６】
上記冷却器／気化器は、精製されるガスのための入口（１１）および精製されたガスのための出口（２１）を有するガス精製部（１）を有し、該精製部（１）の上記出口（２１）は、上記圧縮ステーション（２）の上記出口で上記動作回路へ流動的に接続されることを特徴とし、上記少なくとも１つの出口（２４）によって収集されたバリアガスと動作流体の上記混合物の少なくとも一部は、精製されることができるように、上記精製部（１）の上記入口内へ再注入（１３）され、圧縮ステーション（２）の上記出口で上記動作回路内へ再注入されることを特徴とする、
請求項５によるところの方法。
【請求項７】
上記精製部（１）の上記入口は、上記回路の上記動作流体と性質が異なるガスによってガスが供給され、すなわち上記動作回路が“オープン”タイプの回路であることを特徴とする、
請求項６によるところの方法。
【請求項８】
上記少なくとも１つの出口（２４）によって収集された動作流体とバリアガスの混合物の少なくとも一部が、上記圧縮ステーション（２）の上記入口でおよび／或いは中間圧縮ステージでおよび／或いは上記圧縮ステーション（２）の上記出口で、上記動作回路内へ再注入されることを特徴とする、
請求項５によるところの方法。
【請求項９】
動作サイクルは、“閉じた”サイクルになると言われ、上記動作回路から生ずる動作ガスのみを伴って供給された精製されるガスのための入口（１１）、および上記コールドボックス（３）へ供給する精製されたガスのための出口（２１）を有するガス精製部（１）を有することを特徴とする、
請求項８によるところの方法。
【請求項１０】
上記冷却器／気化器は、精製されるガスのための入口（１１）、および精製されたガスのための出口（２１）を有するガス精製部（１）を有し、この精製部（１）の上記出口（２１）が、上記圧縮ステーション（２）への入口で上記動作回路へ流体を流通可能に接続されることを特徴とし、上記少なくとも１つの出口（２４）によって収集されたバリアガスと動作流体の混合物の少なくとも一部が、精製されることができるように、上記精製部（１）の上記入口内へ再注入（１３）され、上記圧縮ステーション（２）の上記入口で上記動作回路内へ再注入されることを特徴とする、
請求項５によるところの方法。
【請求項１１】
上記冷却器／気化器は、精製されるガスのための入口（１１）、および精製されたガスのための出口（２１）を有するガス精製部（１）を有し、この精製部（１）の上記出口（２１）が、上記圧縮ステーション（２）の中間圧縮ステージでおよび／或いは上記圧縮ステーション（２）の上記出口で上記動作回路へ流体を流通可能に接続されることを特徴とし、上記少なくとも１つの出口（２４）によって収集されたバリアガスと動作流体の混合物の少なくとも一部が、精製されることができるように、上記精製部（１）の上記入口内へ再注入（１３）され、上記圧縮ステーション（２）の上記出口内或いは該出口で上記動作回路内へ再注入されることを特徴とする、
請求項５によるところの方法。
【請求項１２】
上記少なくとも１つの出口（２４）によって収集されたバリアガスと動作流体の混合物の少なくとも一部は、上記精製部（１）の上記入口へ供給される前に圧縮されることを特徴とする、
請求項１１によるところの方法。
【請求項１３】
ヘリウムを含む或いは純粋なヘリウムからなる動作流体の低温冷却／液化のための装置であって、
当該装置は、圧縮ステーション（２）およびコールドボックス（３）を備えた動作回路を有し、
この動作回路が、上記圧縮ステーション（２）内での上記動作流体の圧縮と、上記コールドボックス（３）内での上記動作流体の冷却および拡張と、および上記動作流体が上記圧縮ステーション（２）へ戻れるように上記動作流体の再加熱と、を順に有するサイクルへの上記動作ガスを受け、
上記圧縮ステーション（２）が、それぞれが複数のベアリングに搭載された１つ或いはいくらかのコンプレッサー（１２）を使う１つ或いはいくらかの圧縮ステージを有し、
上記冷却器が、上記動作流体と性質が異なるバリアガスを１つのコンプレッサー或いは複数のコンプレッサーの少なくとも１つのベアリング（５）内へ注入するための装置（４）を有し、上記動作回路から生ずる動作流体の漏れを、回収して上記動作回路へ戻す（１３、２１）ため、ゾーン（１３）に向けてガイドするガス状のバリアを形成することを特徴とする、装置。
【請求項１４】
上記バリアガスを注入するための上記装置（４）は、少なくとも１つのバリアガス注入ポイント（１４）と、注入されたバリアガスおよび漏れ或いは複数の漏れから生ずる動作流体を含む混合物を収集するための少なくとも１つの出口（２４）と、を有することを特徴とし、上記回路は、上記混合物を、上記圧縮ステーション（２）の上記入口でおよび／或いは上記圧縮ステーション（２）の中間圧縮ステージでおよび／或いは上記圧縮ステーション（２）の上記出口で、上記動作回路内へ再注入するパイプを有することを特徴とする、
請求項１３によるところの装置。
【請求項１５】
動作ガスから不純物を分離するように、特に、上記混合物から上記バリアガスを除去するように、上記混合物を精製するための精製部（１）を有し、上記混合物は、上記精製部（１）を通過して上記動作回路内へ一度再注入されることを特徴とする、
請求項１４によるところの装置。
【発明の詳細な説明】
【発明の概要】
【０００１】
本発明は、低温冷却／液化方法および装置に関する。
【０００２】
この発明は、特に、液化方法および装置に関し、ヘリウムで動作する冷却方法および装置に関する。
【０００３】
この発明は、より明確には、圧縮ステーションおよびコールドボックスを備えた動作回路を有する冷却器／気化器を使う、動作流体、特にヘリウムを含む或いは純粋なヘリウムからなる動作流体の低温冷却／液化のための方法であって、冷却器／気化器が、動作ガスを動作回路内に受け、圧縮ステーション内での動作流体の圧縮と、コールドボックス内での動作流体の冷却および拡張と、および動作流体が圧縮ステーションへ戻れるように、動作流体の再加熱と、を順に有するサイクルへ送り、圧縮ステーションが、それぞれが複数のベアリングに搭載された１つ或いはいくらかのコンプレッサーを使う１つ或いはいくらかの圧縮ステージを有する方法に関する。
【０００４】
低温（例えば、８０Ｋ未満或いは２０Ｋ未満）で動作する冷却器或いは液化器は、圧縮、拡張、冷却、および再加熱を有する動作サイクルへ受け入れられる動作流体（例えば、ヘリウム）を使う。これらの装置は、一般に、動作ガスの圧縮のためのいくらかのステージを必要とする。各圧縮ステージは、１つ或いはそれ以上の圧縮機推進器を使う。１つの例は、遠心タイプの圧縮機である。
【０００５】
圧縮ステーション内における回転部分と固定部分との間の境界での動作ガスの漏れは避けることができない。特に、動作ガスがヘリウムである場合、ガスの比較的重大な漏れが、圧縮機推進器のシャフトを支持する複数のベアリングで観測される。比較的高価な動作ガスのこのようなロスを制限するため、ガスのための迷路を形成するパッキングのような部材、オイルシール、浮遊リングシール、ガスシールなどを用いて制限される、各圧縮ステージの各ベアリングでの漏れのための知られた実施である。
【０００６】
これらの装置が装備コストを増大する事実から考えないで、これらの知られたシステムは、冷却器／液化器技術に常に最も適している訳では無い。
【０００７】
さらに、圧縮ステーションの構造内にあるオイルは、動作ガスが汚染されること（ヘリウムとの混合によって、或いは蒸気および／或いは軽い炭化水素の追加によって）を許されてはならない。動作回路内へ導入されたこのような不純物が極低温で封鎖を生出し、装備の破損を引き起こす。
【０００８】
上述した従来技術の不利益の全て或いはいくらかを多少とも解消することが本発明の目的である。
【０００９】
このために、本発明によるところの方法は、他の点において、上の前文で与えられたその一般的な定義に従って、実質的に、冷却器が、動作流体と性質が異なるバリアガスをコンプレッサーの少なくとも１つのベアリング或いはコンプレッサー内へ注入するための装置を有し、動作回路から生ずる動作流体の漏れを、回収して動作回路へ戻すため、ゾーンに向けてガイドするガス状のバリアを形成することを特徴とする。
【００１０】
さらに、本発明のいくつかの実施例は、１つ或いはいくらかの以下の特徴を含んでもよく：
バリアガスを注入するための装置は、圧縮ステーションのオイル収容機構、或いは大気に関してシールされない、圧縮ステーションの少なくとも１つのいわゆる汚染されたゾーンに向けて動作流体の漏れの通過を防止するように、ガス状のバリアを形成し、
バリアガスは、少なくとも１つのベアリング内へ、このベアリングに搭載されたコンプレッサーでの動作回路内の動作流体の圧力より低い圧力で、注入され、
バリアガスは、窒素を含み、或いは純粋な窒素からなり、
バリアガスを注入するための装置は、少なくとも１つのバリアガス注入ポイントと、注入されたバリアガスおよび漏れ或いは複数の漏れから生ずる動作流体を含む混合物を収集するための少なくとも１つの出口と、を有し、
冷却器／気化器は、精製されるガスのための入口および精製されたガスのための出口を有するガス精製部を有し、該精製部の出口は、圧縮ステーションの出口で動作回路へ流体を流通可能に接続され、少なくとも１つの出口によって収集されたバリアガスと動作流体の混合物の少なくとも一部は、精製されることができるように、精製部の入口内へ再注入され、圧縮ステーションの出口で動作回路内へ再注入され、
精製部の入口は、回路の動作流体と性質が異なるガスによってガスが供給され、すなわち動作回路が“オープン”タイプの回路であり、
少なくとも１つの出口によって収集された動作流体とバリアガスの混合物の少なくとも一部が、圧縮ステーションの入口でおよび／或いは中間圧縮ステージでおよび／或いは圧縮ステーションの出口で、動作回路内へ再注入され、
動作サイクルは、“閉じた”サイクルになると言われ、動作回路から生ずる動作ガスのみを伴って供給された精製されるガスのための入口、およびコールドボックスへ供給する精製されたガスのための出口を有するガス精製部を有し、
冷却器／気化器は、精製されるガスのための入口、および精製されたガスのための出口を有するガス精製部を有し、この精製部の出口が、圧縮ステーションへの入口で動作回路へ流体を流通可能に接続され、少なくとも１つの出口によって収集されたバリアガスと動作流体の混合物の少なくとも一部が、精製されることができるように、精製部の入口内へ再注入され、圧縮ステーションの入口で動作回路内へ再注入され、
冷却器／気化器は、精製されるガスのための入口、および精製されたガスのための出口を有するガス精製部を有し、この精製部の出口が、圧縮ステーションの中間圧縮ステージでおよび／或いは圧縮ステーションの出口で動作回路へ流体を流通可能に接続され、少なくとも１つの出口によって収集されたバリアガスと動作流体の混合物の少なくとも一部が、精製されることができるように、精製部の入口内へ再注入され、圧縮ステーションの出口内或いは該出口で動作回路内へ再注入され、
少なくとも１つの出口によって収集されたバリアガスと動作流体の混合物の少なくとも一部は、精製部の入口へ供給される前に圧縮され、
装置は、動作ガスから不純物を分離するように、特に、混合物からバリアガスを除去するように、混合物を精製するための精製部を有し、混合物は、精製部を通過して動作回路内へ一度再注入され、
精製部は、ガスから窒素を除去するように、不純物を動作流体より除去するための分離システムを有し、
精製部は、精製されたガス或いは精製されるガスを圧縮するためのシステムを有してもよく、
１つのコンプレッサー或いは複数のコンプレッサーは遠心タイプであり、
コールドボックスの１つの拡張タービン或いは複数のタービンは遠心タイプである。
【００１１】
また、本発明は、ヘリウムを含み或いは純粋なヘリウムからなる動作流体の低温冷却／液化のための装置に関し、この装置は、圧縮ステーションおよびコールドボックスを備えた動作回路を有し、この動作回路が、圧縮ステーション内での動作流体の圧縮と、コールドボックス内での動作流体の冷却および拡張と、および動作流体が圧縮ステーションへ戻れるように動作流体の再加熱と、を順に有するサイクルへ動作ガスを受け、圧縮ステーションが、それぞれ複数のベアリングに搭載された１つ或いはいくらかのコンプレッサーを使う１つ或いはいくらかの圧縮ステージを有し、冷却器が、動作流体と性質が異なるバリアガスを１つのコンプレッサー或いは複数のコンプレッサーの少なくとも１つのベアリング内へ注入するための装置を有し、動作回路から生ずる動作流体の漏れを、回収して動作回路へ戻すため、ゾーンに向けてガイドするガス状のバリアを形成することを特徴とする。
【００１２】
他の可能な特別な特徴によると：
バリアガスを注入するための装置は、少なくとも１つのバリアガス注入ポイントと、注入されたバリアガスおよび漏れ或いは複数の漏れから生ずる動作流体を含む混合物を収集するための少なくとも１つの出口と、を有し、回路は、混合物を、圧縮ステーションの入口でおよび／或いは圧縮ステーションの中間圧縮ステージでおよび／或いは圧縮ステーションの出口で、動作回路内へ再注入するパイプを有し；
装置は、動作ガスから不純物を分離するように、特に、混合物からバリアガスを除去するように、混合物を精製するための精製部を有し、混合物は、精製部を通過して動作回路内へ一度再注入される。
【００１３】
この発明は、上文或いは下文に記載された特徴のいくらかの組み合わせを有するいくらかの代わりの方法或いは装置に関する。
【００１４】
他の特性および長所は、図面の参照を伴って与えられる以下の説明を読むことから明らかになるであろう。
【図面の簡単な説明】
【００１５】
【図１】図１は、複数のベアリングに搭載され動作ガスの漏れを収集するための装置を備えた本発明によるところのコンプレッサー推進機の１つの実施例を示す部分概略断面図である。
【図２】図２は、本発明によるところの冷却および／或いは液化装置の第１の実施例の構造および動作を示す部分概略図である。
【図３】図３は、本発明によるところの冷却および／或いは液化装置の第２の実施例の構造および動作を示す部分概略図である。
【図４】図４は、本発明によるところの冷却および／或いは液化装置の第３の実施例の構造および動作を示す部分概略図である。
【図５】図５は、本発明によるところの冷却および／或いは液化装置の第４の実施例の構造および動作を示す部分概略図である。
【００１６】
図２に示された冷却装置／液化装置の例は、通常の方法において、圧縮ステーション２およびコールドボックス３を有する。
【００１７】
この冷却装置／液化装置は、低いモル質量の動作流体を使い、好ましくは、大部分が或いは純粋なガス状のヘリウムを使う。
【００１８】
図示されたように、このヘリウムは、ヘリウムリッチガスの供給源Ｓから製造されることができ、例えば、冷却装置／液化装置の動作ループへヘリウムを供給するため精製ユニット１によって精製された天然ガス（或いはいくらかの他のガス）から製造されることができる。精製ユニット或いは各部１は、例えば、極低温ガス分離システムおよび／或いは平行に配置された２つの吸着器を含み、（例えば、ＰＳＡ或いはＴＳＡタイプの）連続する吸着／再生サイクルを交互に動作する。これらの吸着器は、空気、窒素のような不純物を除去するため、例えば、活性炭或いはシリカベースのタイプの吸着器である。
【００１９】
それは、不純物の連続的な流入を伴うオープンループを形成するシステムということである。
【００２０】
通常の方法において、動作ガスは、例えば遠心圧縮タイプの１つ或いはいくつかの圧縮機をそれぞれ用いる１つ或いはいくつかの圧縮ステージ１２を用いる圧縮ステーション２内で環境温度で圧縮される。
【００２１】
従って、圧縮ステーション２への入口で、動作ガスは、環境温度に近い温度、および例えば１バールと３バールａｂｓの間に含まれる低圧ＬＰとして知られる圧力で到着する。第１の圧縮ステージ１２の出口で、動作ガスは、例えば３バールと８バールａｂｓの間に含まれる中圧ＭＰとして知られる圧力に達する。
【００２２】
第２の圧縮ステージ１２からの出口で、動作ガスは、例えば、９バールと２７バールａｂｓの間に含まれる高圧ＨＰとして知られる圧力に達する。
【００２３】
そして、この圧縮された動作ガスは、それが冷却される（或いは、予め冷却される）コールドボックス３へ入れられる。通常は、この（予めの）冷却の間、エネルギー（熱）が、１つ或いはそれ以上の極低温タービンにおける拡張によって、および／或いは例えば窒素のような極低温流体を伴う熱の交換によって、動作ガスから引き出される（単純のため、コールドボックスの詳細は図示していない）。
【００２４】
一旦、動作流体がユーザーと熱交換されると、動作流体は、圧縮ステーション２の入口へ戻されてもよい（あるいは、交換器内で徐々に戻って加熱される）。
【００２５】
図１に概略的に示されたように、圧縮推進機１２のシャフト２５の複数のベアリング５で動作ガス（Ｈｅ）の漏れが部分的に起こる。
【００２６】
なるべくなら、動作回路から生ずる動作ガスの漏れを制限するため、１つ或いはそれ以上のシール装置１５（例えば、“迷路”タイプのシール装置）がシャフト２５の周りに各ベアリング５ごとに配置される。
【００２７】
本発明によると、オイルＯを収容する機械部分（ギア機構、および圧縮ステーションのモータ）から動作回路を切り離すため、バリアガス（例えば、窒素）がベアリング５およびシャフト２５内へ注入される。それは、バリアガスが、出口２４に向けて動作ガスの漏れをガイドするようにデザインされているということである。例えば、２つのバリアガスＮ２注入ポイント１４が、注入されたバリアガスＮ２と収集された動作ガスＨｅを含む混合物のための出口通路２４の側面に位置する。例えば、バリアガスＮ２だけが、オイルＯ或いは大気に接触する部分を通過する。
【００２８】
なるべくなら、注入されたバリアガスの圧力は、接続された圧縮推進機での動作ガスの圧力より低い。その方法において、バリアガスによる動作回路のいかなる汚染も避けられる。
【００２９】
バリアガス内への動作ガスの漏れが、このシーリングゾーンの正常な動作のために（特に、ベアリングを冷却する目的のために）必要であることがさらに気付かれるであろう。
【００３０】
出口２４で、バリアガスは、無視できない量の動作ガス（例えば、２０モル％と５０モル％との間）を含む。それゆえ、この混合物（Ｈｅ＋Ｎ２）は、関係した圧縮ステージに基づく例えば１バールと７バールａｂｓとの間に含まれる比較的低圧でベアリングを離れる。
【００３１】
図２は、例えば、産業タイプの液化ユニットに関する第１の実施例を示す。
【００３２】
この実施例において、この装置は、精製されるガスのための入口１１、および精製されたガスのための出口２１を有するガス精製部１を有する。精製部１の出口２１は、その温度に基づいて、圧縮ステーション２の出口で、或いはサイクルの低いポイントで、動作回路へ流動的に接続される。
【００３３】
精製部１の入口１１は、供給源からのガスＳが供給され、例えば、メタン、窒素、およびヘリウムの混合物が供給される。それは、動作回路内の動作ガスが、純粋ではなく精製処理をうけるガスとともにオープンループ内に供給されるということである。
【００３４】
さらに、バリアガスと上述した出口２４によって収集された動作流体との混合物が、精製させることが可能なように、パイプ１３を介して、精製部１の入口で再注入され、そして、その温度に従って、圧縮ステーション２の出口、或いはサイクルの低いレベルで、動作回路内へ再注入される。それは、圧縮システムの出口２４で動作ガスと混合されたバリアガスが、精製部１の取り入れ側、例えば精製部１の一部を形成するコンプレッサーの取り入れ側へ送られることができるということである。とりわけ、この収集された混合物は、精製部１の動作に影響を及ぼさない窒素不純物レベルを含む。
【００３５】
動作ガスの漏れ量は、精製ユニットのコンプレッサーを通る流量と比較して、比較的低い。それゆえに、各動作ガス圧縮ステージ１２でのシールのレベルは重大ではない。結果として、ベアリングでの高価なシール液１５は、全体のコストの低減のため、避けられることができる。
【００３６】
図３は、例えば、冷却ユニットへ与える第２の実施例を示す。図３以降において、上述した要素と同一の要素には、同じ参照符号を付して再び説明しない。図３の装置は、この実施例において、閉じたループの動作回路（外部の供給源を介した作動ガスの供給が無い）を伴って動作する。
【００３７】
バリアガスと出口２４によって収集された動作流体との混合物は、好ましくは、直接的に、圧縮ステーション２の入口で、或いは圧縮ステーションの中間ステージの入口で、パイプ１３を介して、再注入される。それゆえに、コンプレッサー２の出口２４で回収された混合物（バリアガスおよび動作ガス）は、対応するステージの低圧回路、或いは圧縮ステーションの低圧回路内へ、直接的に注入される。
【００３８】
この再循環は、動作回路内で汚染（窒素のようなバリアガス）を発生するかもしれない。これらの不純物は、好ましくは、動作回路内で除去される。この除去は、コールドボックス３内に通常配置されていた精製吸着器の適当な評価によって、或いは追加の精製システム１の追加によって、実施されることができる。従って、図示したように、動作回路は、圧縮ステーション２の出口で、随意に、動作ガスを伴って供給される精製されるガスのための入口１１を有するガス精製部１を有する。精製部１から精製されたガスのための出口２１がコールドボックス３を供給する。
【００３９】
冷却ユニットのこのタイプにおいて、その動作サイクルは、閉塞されたループサイクルであり、複数のベアリングでの動作ガスのロスが、比較的制限されなければならない。
【００４０】
図４は、例えば冷却ユニットに関する第３の実施例を示す。この実施例において、装置は、閉塞されたループの動作回路とともに動作する。出口２４によって収集されたバリアガスと動作流体との混合物は、ガス精製部１のガス供給入口２１内へ再注入される。その前に、精製部１は、不純物を除去する（バリアガスが窒素である場合、例えばＴＳＡ或いはＰＳＡタイプの窒素吸着器を用いて、バリアガスの全て或いはいくらかを除去する）。それは、この場合、回収されたバリアガス（窒素）および動作ガス（ヘリウム）の混合物が、普通の低圧精製部１内へ直接的に入れられることができるのに十分に高い圧力で、コンプレッサー１２を離れるということを意味している。
【００４１】
精製部１の精製されたガスの出口２１は、圧縮ステーション２の入口で動作回路へ流動的に接続されている。それは、動作流体が精製の後で動作回路へ戻されることを意味している。
【００４２】
図５は、例えば冷却ユニットに関する第４の実施例を示す。この装置は、この実施例において、閉塞されたループの動作回路とともに動作する。出口２４の全て或いはいくらかによって収集されたバリアガスと動作流体との混合物は、コンプレッサー６を介してガス精製部１のガス供給入口２１内へ再注入される。それは、この混合物が、その高圧或いは中圧精製を許容するのに十分に高い圧力（例えば、３バールと２７バールａｂｓの間に含まれる圧力）へ圧縮されるということを意味している。中圧或いは高圧で精製された動作ガスは、圧縮ステーション２の中間圧縮ステージで、および／或いは圧縮ステーション２の出口で、再注入される。
【００４３】
もちろん、本発明は、上述した例示的な実施例に制限されない。例えば、図４と図５の実施例の間のどこかに属する装置を考えることができる。それは、回収された混合物が、比較的低い圧力、例えば１バールと３バールの間の圧力（第１の圧縮ステージの推進機内の圧力）である場合に、この混合物が、精製される前、或いは直接的に回路内へ再注入される前に、中間の圧力（３バールと９バールとの間の圧力）へ圧縮されることができることを意味している。この方法において、回復コンプレッサーのサイズが減少されることができる。
【００４４】
同様に、図２と図３の実施例の間のどこかに属する装置を考えることができる。それは、回収された混合物が、比較的低い圧力、例えば１バールと３バールの間の圧力（第１の圧縮ステージの推進機内の圧力）である場合に、この混合物が、圧縮ステーションの入口で回路内へ直接的に再注入されることができることを意味している。
【００４５】
この場合、余分の不純物を処理するため、コールドボックス３内ではありふれた内部吸着器（動作流体の精製のための）が、好ましくは、しかるべく評価される。
【００４６】
回収された混合物が中間の圧力である場合、例えば、３バールと１５バールとの間（中間圧縮ステージの推進機内の圧力）である場合、この混合物は、中圧精製器１へ送られることができる。
【００４７】
それゆえに、簡単で安価な構造である一方で、本発明は、回収されて再利用されるいかなる漏れた動作流体も許容することは直ちに理解されるであろう。
【００４８】
本発明は、動作ガスがバリアガスで汚染される範囲をコントロールすることを可能にする。バリアガスで汚染された動作ガスは、（コールドボックス３内で、および／或いは外部精製部１内で）回収されて精製される。この精製は、圧縮の後（或いはシールシステムに影響を及ぼさない圧力で増大した後）、中間の圧力で実施されてもよい。この精製されたガスは、低圧レベルおよび／或いは中圧レベルおよび／或いは高圧レベルで、回路内へ再注入されることができる。
【００４９】
本発明は、特に、いかなる高容量液化或いは冷却ユニット（ヘリウム或いはレアガスのサイクルで動作する）に適用されてもよい。
【００５０】
本発明は、特に、動作ガスとしてヘリウムを使う水素液化器に適用されてもよい。
【図１】
2013513776.tif 000003
【図２】
2013513776.tif 000004
【図３】
2013513776.tif 000005
【図４】
2013513776.tif 000006
【図５】
2013513776.tif 000007
【国際調査報告】
2013513776.tif 000008
2013513776.tif 000009
2013513776.tif 000010
2013513776.tif 000011